(57)【特許請求の範囲】
【請求項１】
表面層と裏面層と該表面層及び該裏面層間に介在された発熱体とからなるカイロ本体、並びに使用時に該カイロ本体の上端縁から外方に延出させて衣類に装着しうるように該カイロ本体に設けられた固定片を具備し、上記裏面層に、カイロ本体を衣類に固定する貼着面を有する携帯用カイロであって、
上記カイロ本体は、平面視したときに上部のみが凹んだ楕円形状の外形を有し、その幅Ｗ’が８．０〜２０．０ｃｍであり、
上記固定片は、上記カイロ本体とは別体のテープ部材で構成されており、
上記テープ部材は、長さＬが２．０〜８．０ｃｍ、幅Ｗが１．０〜５．０ｃｍで上記カイロ本体の上方中央部から延出されるように設けられているとともに、該テープ部材をカイロ本体に固着する固着部と、該固着部に連設されており、一面が該固着部に仮接着され且つ他面が剥離処理されている中央部と、該中央部に連設されており、該中央部の該他面に当接する面が粘着面となされている止着部とからなり、該固定部、該中央部及び該止着部がそれぞれ折り重なるようにＺ型に折り重ねられていることを特徴とする携帯用カイロ。
【請求項２】
上記貼着面が粘着面であることを特徴とする請求項１記載の携帯用カイロ。
【請求項３】
生理痛緩和用に使用される請求項１又は２に記載の携帯用カイロ。
【発明の詳細な説明】
【０００１】
【発明の属する技術分野】
本発明は、特に生理痛の緩和用に適用可能な携帯用カイロに関し、更に詳細には、衣類への接着性に優れ、ズレや脱落が少ない携帯用カイロに関する。
【０００２】
【従来の技術及び発明が解決しようとする課題】
携帯用カイロは種々提案されており、最近では、表面層と裏面層と該表面層及び該裏面層間に介在された発熱体とからなり、扁平形状で、衣類に貼り付けて使用するタイプの使い捨ての携帯カイロが種々提案されている。
【０００３】
しかし、従来提案されている使い捨ての携帯カイロは、単に発熱体を有するカイロ本体に粘着テープなどにより形成された粘着部を有するだけのものであり、該粘着テープを衣類に貼り付けることにより、衣類に装着して用いるものであっため、該携帯カイロが、装着中に、ズレたり、脱落したりするという問題があった。
【０００４】
従って、本発明の目的は、装着中に、ずれたり、脱落したりすることがなく、しかもコンパクトな形態で携帯できる使い捨てタイプの携帯カイロを提供することにある。
【０００５】
【課題を解決するための手段】
本発明は、表面層と裏面層と該表面層及び該裏面層間に介在された発熱体とからなるカイロ本体、並びに使用時に該カイロ本体の上端縁から外方に延出させて衣類に装着しうるように該カイロ本体に設けられた固定片を具備し、上記裏面層に、カイロ本体を衣類に固定する貼着面を有する携帯用カイロであって、
上記カイロ本体は、平面視したときに上部のみが凹んだ楕円形状の外形を有し、その幅Ｗ’が８．０〜２０．０ｃｍであり、上記固定片は、上記カイロ本体とは別体のテープ部材で構成されており、上記テープ部材は、長さＬが２．０〜８．０ｃｍ、幅Ｗが１．０〜５．０ｃｍで上記カイロ本体の上方中央部から延出されるように設けられているとともに、該テープ部材をカイロ本体に固着する固着部と、該固着部に連設されており、一面が該固着部に仮接着され且つ他面が剥離処理されている中央部と、該中央部に連設されており、該中央部の該他面に当接する面が粘着面となされている止着部とからなり、該固定部、該中央部及び該止着部がそれぞれ折り重なるようにＺ型に折り重ねられていることを特徴とする携帯用カイロを提供することにより、上記目的を達成したものである。
【０００８】
【発明の実施の形態】
以下、本発明の携帯用カイロについて図面を参照して詳細に説明する。
ここで、図１は、本発明の携帯用カイロの第１の参考形態を示す平面図であり、図２は、図１のII-II断面図であり、図３は、図１に示す携帯用カイロの使用態様図である。
また、図４は、本発明の携帯用カイロの第２の参考形態を示す平面図であり、図５は、本発明の携帯用カイロの第３の参考形態を示す平面図である。
また、図６は、本発明の携帯用カイロの第１の形態を示す平面図であり、図７は、図６に示す携帯用カイロのVII-VII断面図であり、図８は、図６に示す携帯用カイロの使用態様を示す斜視図である。また、図９は、本発明の携帯用カイロの第４の参考形態を示す平面図であり、図１０は、図９に示す携帯用カイロのx-x断面図であり、図１１は、本発明の携帯用カイロの第５の参考形態を示す平面図であり、図１２は、図１１に示す携帯用カイロのXII-XII断面図である。
【０００９】
本形態の携帯用カイロ１は、図１及び図２に示すように、表面層２１と裏面層としての粘着面層２２と該表面層２１及び該粘着面層２２間に介在された発熱体２３とからなるカイロ本体２、並びに使用時に該カイロ本体２の上端縁から外方に延出して衣類に装着しうるように該カイロ本体に設けられた固定片としてのテープ部材３を具備する。
【００１０】
更に詳述すると、上記カイロ本体２は、上部が凹んだ楕円形状（豆状）となされている。また、上記表面層２１及び上記粘着面層２２は、上部が凹んだ楕円形状であり、上記カイロ本体２の外形を形成している。上記粘着面層２２は、本形態においてはシート材２２ａと、該シート材２２ａの周縁部を余して粘着剤を塗布して形成された貼着面としての粘着面２２ｂとからなる。即ち、本形態においては、裏面にはカイロ本体を衣類に固定する貼着面が設けられており、該貼着面が粘着面である。
また、上記発熱体２３は、上記表面層２１よりもやや小さくなされており、該発熱体２３の周縁において上記表面層２１と上記粘着面層２２とは、接着剤を介するなどして接着されている。
【００１１】
上記テープ部材３は、細帯状であり、上記カイロ本体２の上端縁中央部において該カイロ本体２の周縁から延出されている。
即ち、本形態の携帯用カイロ１は、全体として、豆状のカイロ本体２の上方中央部から帯状のテープ部材３が延出されてなる構造となされている。
また、図２に示すように、固定片としての上記テープ部材３は、上記カイロ本体２の周縁である上端縁中央部分から、上記表面層２１及び裏面層としての上記粘着面層２２とをそれぞれ延出させ積層させて形成されており、表層３１と貼着部３３が形成されてなる貼着層３２とからなる。該貼着部３３は、該貼着層３２の略全面に設けられている。また、上記貼着部３３は、粘着剤を塗布して形成された粘着部である。即ち、上記固定片としてのテープ部材３は、その衣類と当接する面に該固定片を衣類に固定する貼着部を有し、該貼着部は粘着部である。
上記テープ部材３は、上記表面層２１と上記粘着面層２２とを、テープ部材の形状に延出させて形成されており、上記カイロ本体２と上記テープ部材３とは一体的に形成されている。
また、上記携帯用カイロ１における上記カイロ本体２の上記粘着面層２２と上記テープ部材３の上記貼着層３２とには、これらを剥離自在にカバーするように、該携帯用カイロの平面形状と同じ形状の剥離紙４が貼り付けられている。
【００１２】
上記テープ部材３の長さＬは、２．０〜８．０cm、幅Ｗは、１．０〜５．０cmであり、また、上記カイロ本体２の幅Ｗ’は、８．０〜２０．０cmである。即ち、上記の幅を有するカイロ本体２を衣類に良好に保持させるには、上記テープ部材３の長さ及び幅を上述の範囲内とするのが好ましい。
【００１３】
次に、上述した各部材の形成材料について説明する。
上記カイロ本体２における上記表面層２１の形成材料としては、ポリエチレン、ポリプロピレン、ポリエチレンテレフタレート、ナイロンあるいはこれらを２種以上組み合わせた複合繊維等の不織布と発熱温度、発熱時間を調整するための通気シートから成る多層シート等が挙げられる。
また、上記粘着面層２２を形成する上記シート材２２ａとしては、上記表面層の形成材料と同様の材料が挙げられ、上記貼着面２２ｂを形成する上記粘着剤としては、ゴム系粘着剤、アクリル系粘着剤、シリコーン系粘着剤等が挙げられる。
上記発熱体２３としては、鉄粉を主成分とするものであれば、特に限定されない。
また、上記テープ部材３は、上記表面層２１及び上記粘着面層２２と同じ形成材料により形成されている。また、上記剥離紙４としては、通常、使い捨ての携帯用カイロにおいて、粘着部保護用として用いられる剥離紙を特に制限なく用いることができる。
【００１４】
上記携帯用カイロ１は、以下のようにして使用することができる。
上記剥離紙４を剥がして、図３に示すように、上記カイロ本体２における上記粘着面層２２における粘着面２２ｂを露出させて下着Ｕの表面側に貼り付けると共に、上記テープ部材３における上記貼着層３２における貼着部３３を下着Ｕ側に向けて折り曲げて下着Ｕの裏面側に貼り付ける。これにより、該カイロ本体２と該テープ部材３とにより衣類である下着Ｕを挟持して装着し、使用に供することができる。尚、使用前においては、上記テープ部材３は、上記カイロ本体２の粘着面層２２側に折り曲げて、コンパクトな形態として携帯することができる。そして、本形態の携帯用カイロ２は、このようにして衣類に装着して使用することができるため、使用中にカイロがずれたり、外れて脱落することがなく、好適に使用できるものである。
このため、本形態の携帯用カイロは、特に、女性の生理痛緩和用の携帯用カイロ等として用いることができる。
【００１５】
本形態の携帯用カイロは、下記の如くして製造することができる。
即ち、表面層形成用の不織布の連続体（表面層の連続体）と裏面層としての粘着面層形成用のシート材の連続体（粘着面層の連続体）とで、所定形状の発熱体を挟持し、次いで、図１に示すようなカイロの形状となるように、発熱体の周縁部において切り出し、所定箇所に粘着剤を塗布し、最終に剥離紙を貼り付けて粘着剤が塗布された面を保護して、本形態の携帯用カイロを得ることができる。尚、通常は、発熱体が発熱しないように、更に袋詰めして密封して販売などされる。
【００１６】
次いで、本発明の携帯用カイロの第２及び３の参考形態について図４及び５を参照してそれぞれ説明する。
尚、特に詳述しない点については、上述した第１の参考形態の説明が適宜適用される。
第２の参考形態の携帯用カイロ１は、図４に示すように、カイロ本体２が、下方の中央部に凹状部２４が形成された凹状形状となされており、テープ部材３が、該カイロ本体２の上方中央部で裏面層としての粘着面層と表面層とを延出させて形成されて、山型の凸状形状となされている。そして、上記凹状部２４と上記テープ部材３とは、それぞれ対応した形状となされており、上記カイロ本体２形成のために、表面層の連続体及び粘着面層の連続体を上記凹状部２４の形状に切断すると、同時に上記テープ部材３が形成される。
上記の点以外の点については、上述した第１の参考形態と同じであり、上述した第１の参考形態の携帯用カイロと同様に使用される。
【００１７】
そして、本参考形態の携帯用カイロ１は、上述の如く形成されているので、上述した第一の参考形態の携帯用カイロが奏する効果に加えて、更に、連続的に製造することができ、材料の無駄が生じないという効果が奏される。
【００１８】
第３の参考形態の携帯用カイロ１は、図５に示すように、カイロ本体２の下方及び上方のいずれもが円弧状となるように湾曲形成されており、テープ部材３が、該カイロ本体２の上方両側部で裏面層としての粘着面層と表面層とを延出させて形成されて、山型の凸状形状となされている。そして、携帯用カイロ１の上方部分と下方部分とは、それぞれ対応した形状となされており、上記カイロ本体２形成のために、表面層の連続体及び粘着面層の連続体を円弧状に切断すると、カイロ本体２の上端縁と下端縁とが同時に形成されると共に上記テープ部材３が形成される。
上記の点以外の点については、上述した第１の参考形態と同じであり、上述した第１の参考形態の携帯用カイロと同様に使用される。
【００１９】
そして、本形態の携帯用カイロ１は、上述の如く形成されているので、上述した第１の参考形態の携帯用カイロが奏する効果に加えて、更に、連続的に製造することができ、材料の無駄が生じないという効果が奏される。
【００２０】
次いで、本発明の携帯用カイロの一実施形態について図６〜８を参照して説明する。
尚、特に詳述しない点については、上述した第１形態の説明が適宜適用されるので、特に変更しない部材については第１の形態と同じ番号を付す。
本実施形態の携帯用カイロ１０１においては、図６及び７に示すように、カイロ本体２は、上述した第１の参考形態の携帯用カイロにおけるカイロ本体と同様に形成されている。
そして、本形態においては、固定片としてのテープ部材１０３は、上記カイロ本体２とは別体のテープ部材であり、上記カイロ本体２の上記表面層２１側に設けられている。上記テープ部材１０３は、テープをカイロ本体２に固着する固着部１３１と、該固着部１３１に連設されており、一面１３２ａが該固着部１３１に仮接着され且つ他面１３２ｂが剥離処理されている中央部１３２と、該中央部１３２に連設されており、該中央部１３２の該他面１３２ｂに当接する面が粘着面１３３ａとなされている止着部１３３とからなり、該固着部１３１、該中央部１３２及び該止着部１３３がそれぞれ折り重なるようにＺ型に折り重ねられている。
そして、上記固着部１３１は、上記カイロ本体の上方中央部における上記表面層２１に接着されて固定されている。尚、上記の仮接着や剥離処理は、従来よりこの種のテープ部材において用いられている手法を特に制限なく用いて行うことができる。
【００２１】
そして、使用に際しては、図８に示すように、剥離紙４を取り外して粘着面層２２を露出させ、カイロ本体２を衣類である下着の表面に貼り付けた後、止着部１３３及び中央部１３２を引き剥がしてテープ部材１０３を伸ばして、該中央部１３２における固着部１３１側の部分でカイロ本体２の粘着面層２２側に折り返し、止着部１３３を衣類である下着Ｕの裏面側に貼り付けることにより、カイロ本体２とテープ部材１０３とで衣類を挟持するようにして装着して使用することができる。
【００２２】
次いで、本発明の携帯用カイロの第４及び５の参考形態について図９〜１２を参照してそれぞれ説明する。尚、特に詳述しない点については、上述した第１の参考形態の説明が適宜適用されるので、特に変更しない部材については第１の参考形態と同じ番号を付す。
【００２３】
第４の参考形態の携帯用カイロ１においては、図９及び１０に示すように、カイロ本体２は、上述した第１の参考形態と同じ形状である。
そして、本形態においては、固定片としての上記テープ部材２０３は、上記カイロ本体２とは別体のテープ部材であり、上記カイロ本体２の上記表面層２１側に設けられている。
上記テープ部材２０３は、テープをカイロ本体２に固着する固着部２３１と、固着部２３に連設されており、表面２３２ａが剥離処理されており、裏面２３２ｂがカイロ本体２の表面層２１に仮接着されている中央部２３２と、該中央部２３２に連設されており、該中央部２３２の該表面２３２ａに当接する面が粘着面２３３ａとなされている止着部２３３とからなり、該止着部２３３は該中央部２３２上に折り重ねられている。
そして、上記固着部２３１は、上記カイロ本体２の上端縁中央部において、該カイロ本体２の周縁２ａ（発熱体２３が存在せず表面層２１と粘着面層２２とが接着されている部分）における上記表面層２１に接着されて固定されている。上記の点以外の点については、上述した第１の参考形態と同じである。
尚、上記の仮接着や剥離処理は、従来よりこの種のテープ部材において用いられている手法を特に制限なく用いて行うことができる。
【００２４】
そして、使用に際しては、剥離紙４を取り外してカイロ本体２の粘着面層２２を露出させ、カイロ本体２を衣類である下着の表面に貼り付けた後、止着部２３３及び中央部２３２を引き剥がしてテープ部材を伸ばして、該中央部２３２における固着部２３１側の部分で折り返し、止着部２３３を下着の裏面側に貼り付けることにより、カイロ本体２とテープ部材２０３とで衣類を挟持するように装着して使用することができる。
【００２５】
第５の参考形態の携帯用カイロは、図１１及び１２に示すように、カイロ本体２が、上述した第一の参考形態と同じ形状である。そして、本形態においては、固定片としての上記テープ部材３０３は、上記カイロ本体２とは別体のテープ部材であり、上記カイロ本体２の上記表面層２１側に設けられている。
上記テープ部材３０３は、テープをカイロ本体２に固着する固着部３３１と、該固着部３３１に連設されており、表面が粘着面３３２ａとされており、裏面がカイロ本体２の表面層２１に仮接着されている止着部３３２とからなり、該止着部３３２の表面には粘着面３３２ａ保護のための剥離紙３０４が設けられている。
そして、上記固着部３３１は、上記カイロ本体２の上端縁中央部にて、該カイロ本体２の周縁２ａ（発熱体２３が存在せず表面層２１と粘着面層２２とが接着されている部分）に位置し且つ上記表面層２１に接着されて固定されている。
上記の点以外の点については、上述した第１の参考形態と同じである。尚、上記の仮接着は、従来より、この種のテープ部材において用いられている手法を制限なく用いて行うことができる。
【００２６】
そして、使用に際しては、剥離紙４を取り外してカイロ本体２の粘着面層２２を露出させ、カイロ本体２を衣類である下着の表面に貼り付けた後、止着部３３２の剥離紙３０４を剥がして止着部３３２の粘着面３３２ａを露出させ、該止着部３３２を下着の裏面側に折り返し、該止着部３３２を下着の裏面側に貼り付けることにより、カイロ本体２とテープ部材３０３とで衣類を挟持するように装着して使用することができる。
【００２７】
尚、本発明は、上述した形態に限定されるものではなく、本発明の趣旨を逸脱しない範囲で種々変更可能である。例えば、第１の参考形態において、貼着面は粘着剤を塗布して形成した粘着面とせずに、機械的ファスナーのオス材（例えば、「マジックテープ」登録商標、クラレ社製）等を用いて形成した係合面とすることもできる。尚、本発明の説明に際しては、便宜上、下着に装着した際に下着に当接する方を裏面層（粘着層を有する場合は粘着面層）、その反対側を表面層と称したが、カイロ本体に貼着部がない形態では、表面層及び裏面層は特に差がないものとすることもできる。
【００２８】
【発明の効果】
本発明の携帯用カイロは、装着中に、ずれたり、脱落したりすることがなく、しかもコンパクトな形態で携帯できるものである。
【図面の簡単な説明】
【図１】  図１は、本発明の携帯用カイロの第１の参考形態を示す平面図である。
【図２】  図２は、図１のII-II 断面図である。
【図３】  図３は、図１に示す携帯用カイロの使用態様図である。
【図４】  図４は、本発明の携帯用カイロの第２の参考形態を示す平面図である。
【図５】  図５は、本発明の携帯用カイロの第３の参考形態を示す平面図である。
【図６】  図６は、本発明の携帯用カイロの一実施形態を示す平面図である。
【図７】  図７は、図６に示す携帯用カイロのVII-VII 断面図である。
【図８】  図８は、図６に示す携帯用カイロの使用態様を示す斜視図である。
【図９】  図９は、本発明の携帯用カイロの第４の参考形態を示す平面図である。
【図１０】  図１０は、図９に示す携帯用カイロのx-x断面図である。
【図１１】  図１１は、本発明の携帯用カイロの第５の参考形態を示す平面図である。
【図１２】  図１２は、図１１に示す携帯用カイロのXII-XII断面図である。
【符号の説明】
１  携帯用カイロ
２  カイロ本体
２１  表面層
２２  粘着面層（裏面層）
２３  発熱体
３  テープ部材（固定片）
３１  表層
３２  粘着層
３３  粘着部
４  剥離紙
【図１】
0003957377.tif 000002
【図２】
0003957377.tif 000003
【図３】
0003957377.tif 000004
【図４】
0003957377.tif 000005
【図５】
0003957377.tif 000006
【図６】
0003957377.tif 000007
【図７】
0003957377.tif 000008
【図８】
0003957377.tif 000009
【図９】
0003957377.tif 000010
【図１０】
0003957377.tif 000011
【図１１】
0003957377.tif 000012
【図１２】
0003957377.tif 000013